【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
弾性ビニル床上に床仕上げ剤層を形成する方法であって、
(a)  床1平方メートル当たり約30〜90ミリリットルの水性床仕上げ剤の付加率で、約30重量%よりも多い固形分を含む水性床仕上げ剤組成物を、弾性ビニル床に塗布し；そして
(b)  該弾性ビニル床上に、厚さ約0.01〜0.03mmであり且つ約10〜35グラム/m2の乾燥床仕上げ剤を有する実質的に均一な乾燥床仕上げ剤層を形成する
ことを含むことを特徴とする、弾性ビニル床上に床仕上げ剤層を形成する方法。
【請求項２】
さらに、該床仕上げ剤組成物を、床に塗布する前に濾過することを含む、請求項１に記載の方法。
【請求項３】
約35〜80ミリリットルの水性床仕上げ剤を床面上に計量供給し、そして、マイクロファイバー・パッドを使用して該水性床仕上げ剤を配分することにより、該床仕上げ剤を塗布し、該塗布及び配分の工程が1回以上繰り返される、請求項１に記載の方法。
【請求項４】
弾性ビニル床上に床仕上げ剤層を形成することができるシステムにおいて、該システムが：
(a)  約5〜20リットルのリザーバを有する液体床仕上げ剤のためのポータブル容器であって、ワンド塗布器への流体連通を可能にするカップリングを含むポータブル容器と；
(b)  ハンドルと、塗布器パッドと、該容器から該塗布器パッドへの該床仕上げ剤の流体連通を可能にする管路とを含むワンド塗布器と；
(c)   弾性ビニル床1平方メートル当たり約30〜90ミリリットルの該水性床仕上げ剤組成物を該弾性ビニル床上に計量供給するための装置と
を含むことを特徴とする、弾性ビニル床上に床仕上げ剤層を形成することができるシステム。
【手続補正２】
【補正対象書類名】明細書
【補正対象項目名】００４５
【補正方法】変更
【補正の内容】
【００４５】
図4は、カップリング107a及び107bの実施態様を拡大して示している。これらのカップリングは、容器106に取り付けられ、支持構造105a及び105bに据え付けられている。容器106から管路104への床仕上げ剤の流体連通のための流体カップリング107a及び107bは、2つの部分から成るカップリング構造を使用して達成される。カップリング構造は回転キャップ107aと、装着用リング108a及び108bを備えた容器アパーチャ装置107bとを有している。ある実施態様の場合、容器106がバックパック102の支持面105bに据え付けられると、容器アパーチャ装置は開口105a内に据え付けられる。開口105aは、容器アパーチャ装置107bのリング108a及び108bによって把持される。容器アパーチャ装置107bのリング構造108a及び108bは、バックパック102の所定の場所に容器106を固定的に維持する。容器アパーチャ装置は、容器からアパーチャ装置107bを通って回転キャップ107aに流体が連通するのを可能にし、ハイソリッド床仕上げ剤は容器からアパーチャを通って回転キャップ内に、次いで管路103を通って塗布ワンド(図示せず)に容易に達する。図4において、リング108a及び108bは把持面を形成する。この把持面は、開口105aを把持することにより容器を所定の位置に維持する。
【手続補正３】
【補正対象書類名】明細書
【補正対象項目名】００４６
【補正方法】削除
【補正の内容】
【手続補正４】
【補正対象書類名】明細書
【補正対象項目名】００４８
【補正方法】変更
【補正の内容】
【００４８】
図6は、本発明の床仕上げ剤容器106の実施態様を示す。この実施態様の場合、床仕上げ剤容器106aは、ケース102内の内部空間に密にフィットするように適合されている。容器106aの外面は、ケース102の内面に対して相補的である。具体的には表面114及び113が、ケースに形成された支持構造又は表面105に適合されている。これらの支持構造又は表面は容器106aに密にフィットしており、これにより、床仕上げ剤塗布中に容器がケース内に良好に維持されることが保証される。容器はカップリング取り付け面112を有している。このカップリング取り付け面は、管路104のためのカップリング装置107a及び107bの組込み場所を提供する。
【手続補正５】
【補正対象書類名】明細書
【補正対象項目名】００４９
【補正方法】削除
【補正の内容】
【手続補正６】
【補正対象書類名】明細書
【補正対象項目名】００５０
【補正方法】変更
【補正の内容】
【００５０】
図7は、本発明の塗布ワンド119aの実施態様を詳細に示す。この実施態様の場合、カップリング装置107a及び107bは、本発明のバックパック内部の容器106(図示せず)上に据え付けられている。管路103は、床仕上げ剤流をホース117に流体カップリングするカップリング115に延びている。ホース117は、塗布器ノズル計量ポート118に床仕上げ剤を導く。ハンドル116にはトリガ116aが据え付けられている。このトリガ116aは、計量ポート118からの床仕上げ剤の放出をトリガするように適合されている。これにより、実質的な割合のハイソリッド床仕上げ剤が配分のために床に塗布されるのが保証される。
【手続補正７】
【補正対象書類名】明細書
【補正対象項目名】００５１
【補正方法】削除
【補正の内容】
【手続補正８】
【補正対象書類名】明細書
【補正対象項目名】００５９
【補正方法】変更
【補正の内容】
【００５９】
【図１】図1は、好ましくは床仕上げ液の1又は2つ以上のフレキシブルな容器の形で仕上げ液材料を含有することができる、本発明のポータブル塗布ユニット又はバックパックの実施態様を示す図である。
【図２】図2は、図1のバックパックの実施態様を裏側から見た状態で示す図である。
【図３】図3は、図1のバックパックを、可動の蓋又は開口が、ポータブル・ユニット又はバックパック内部に形成された支持面によって支持された床仕上げ剤組成物又は容器を露出するように適合又は位置決めされた状態で示す図である。容器は、フレキシブル又は回転可能なカップリングと、塗布ワンドと流体連通することができる管路とを有することができる。
【図４】図4は、容器から管路に床仕上げ液を移動するフレキシブルなカップリング・アセンブリの実施態様を示す図である。
【図５】図5は、管路を所定の位置に固定し、そして床仕上げ剤の塗布中に管路が動くのを防止するための管路拘束部材又はホルダとして使用されるバックパック・ハウジング又はケースに形成されたステーションの実施態様を示す図である。
【図６】図6は、管路据え付け面を示す床仕上げ剤容器の1実施態様の外側形状を示す図である。
【図７】図7は、ポータブル・ユニット又はバックパックとの関連において使用される塗布ワンドの実施態様を示す図である。床仕上げ液材料の容器から出た管路は、塗布ワンドと連携するフレキシブルな管路に接続されており、塗布ワンドは、カップリングのための容器管路から塗布器ノズルに床仕上げ剤を運ぶ。ワンドはまた床仕上げ液計量装置と配分パッドのためのキャリヤとして作用する。
【図８】図8は、塗布ワンドの遠位端部の実施態様を示す図である。図8は、ワンドに取り付けられた据え付け面上に据え付けられたパッドと共に、塗布器計量装置及び塗布器ノズルを示す。図8には、ワンド・アセンブリにパッドを取り付ける際に、パッドに据え付けられたパッド・ポケットを利用した、塗布器表面上へのパッドの据え付けの1実施態様が示されている。
【図９】図9A及び9Bは、パッドの取り付け面及び塗布面の実施態様を示す図である。このようなパッドは、ワンド・アセンブリへの取り付けのためにベルクロ（登録商標）面を使用することができ、パッドの塗布面又は床仕上げ剤配分面上では、パッドは、塗布面内に据え付けられたマイクロファイバー材料を使用することができる。据え付けられたマイクロ・ファイバー面の特性を利用して、弾性ビニルタイルの床面上に床仕上げ剤を均一に配分することにより、厚い弾性的な頑丈な層を形成することができる。パッドは、内部のポリマー連続気泡構造を含むリザーバを含有する。このポリマー連続気泡構造は、床面へのハイソリッドアドオンのための床仕上げ剤供給量を維持するように作用することができる。
【図１０】図10は、本発明のパッドの実施態様を示す断面図である。